(57)【特許請求の範囲】
【請求項１】
底壁(1)、背壁(2)、一対の側壁(13)及び前壁(14)を備え、前壁(14)から天面へかけて開口部が形成されるようにした外装兼用展示箱において、
底壁(1)の周囲に背壁(2)、一対の内側板(3)及び底前板(4)を連設し、背壁(2)の両側に外側板(5)を連設し、底壁(1)から背壁(2)及び一対の内側板(3)を起立させ、外側板(5)を前方へ折り曲げて、内側板(3)と外側板(5)とが重なった側壁(13)を形成し、
内側板(3)及び外側板(5)の上端にそれぞれ内フラップ(6)及び外フラップ(7)を連設し、内フラップ(6)と外フラップ(7)とが重なり合い、又は分離して起伏するようにし、
外側板(5)の前端から外前片(8)を延出し、外側板(5)から内側へ折り曲げた外前片(8)と底壁(1)から起立させた底前板(4)とを固定して、組立形状を維持し、底前板(4)と両側の外前片(8)とで開口部を有する前壁(14)を形成したことを特徴とする外装兼用展示箱。
【請求項２】
請求項１に記載の外装兼用展示箱において、側壁(13)を構成する内側板(3)の前端から内前片(9)を延出し、内側板(3)から内前片(9)を折り曲げて、外前片(8)と内前片(9)とを重ね、各一対の外前片(8)と内前片(9)とで下端から上端に至る前壁(14)の両側部を形成したことを特徴とする外装兼用展示箱。
【請求項３】
請求項２に記載の外装兼用展示箱において、前蓋部(21)と天蓋部(22)とを連設したカバー(20)を備え、カバー(20)の前蓋部(21)の両側部を外前片(8)と内前片(9)の間に差し込み、天蓋部(22)により天面を閉じるようにしたことを特徴とする外装兼用展示箱。
【発明の詳細な説明】
【技術分野】
【０００１】
この発明は、商品の輸送及び展示に兼用される外装兼用展示箱に関するものである。
【背景技術】
【０００２】
従来、外装兼用展示箱として、下記特許文献１には、図１０に示すように、底壁５１、背壁５２、一対の側壁５３及び前壁５４を備え、前壁５４から天面へかけて開口部が形成されたものが記載されている。この外装兼用展示箱の背壁５２は、底壁５１から立ち上がる外背板５５と側壁５３から延びる内背板５６とが重なった二重構造とされ、前壁５４の底部及び天面の両側部は、巻込によりいわゆる額縁構造とされて、箱の組立形状を維持するものとされている。
【先行技術文献】
【特許文献】
【０００３】
【特許文献１】特開２００６−２７７３０号公報
【発明の概要】
【発明が解決しようとする課題】
【０００４】
しかしながら、上記のような外装兼用展示箱では、背壁５２が二重構造であるものの、前壁５４及び天面が大きく開口し、側壁５３は一重構造であることから、段積みして展示する場合、内部に挿入した仕切５７で補強しなければ、側壁５３の前部や前壁５４の側部が潰れ、上段側の箱が転落する恐れがあった。
【０００５】
そこで、この発明は、耐圧強度を確保しつつ、前面側を大きく開口させて商品を展示できる外装兼用展示箱を提供することを課題とする。
【課題を解決するための手段】
【０００６】
上記のような課題を解決するため、この発明は、底壁、背壁、一対の側壁及び前壁を備え、前壁から天面へかけて開口部が形成されるようにした外装兼用展示箱において、底壁の周囲に背壁、一対の内側板及び底前板を連設し、背壁の両側に外側板を連設し、底壁から背壁及び一対の内側板を起立させ、外側板を前方へ折り曲げて、内側板と外側板とが重なった側壁を形成し、内側板及び外側板の上端にそれぞれ内フラップ及び外フラップを連設し、内フラップと外フラップとが重なり合い、又は分離して起伏するようにし、外側板の前端から外前片を延出し、外側板から内側へ折り曲げた外前片と底壁から起立させた底前板とを固定して、組立形状を維持し、底前板と両側の外前片とで開口部を有する前壁を形成したのである。
【０００７】
また、側壁を構成する内側板の前端から内前片を延出し、内側板から内前片を折り曲げて、外前片と内前片とを重ね、各一対の外前片と内前片とで下端から上端に至る前壁の両側部を形成したのである。
【０００８】
また、この外装兼用展示箱において、前蓋部と天蓋部とを連設したカバーを備え、カバーの前蓋部の両側部を外前片と内前片の間に差し込み、天蓋部により天面を閉じるようにしたのである。
【発明の効果】
【０００９】
この発明に係る外装兼用展示箱では、側壁が二重構造となるので、前面が大きく開口した形状であっても、耐圧強度を確保でき、段積みに際しては、内フラップを内側水平方向へ折り曲げ、外フラップを起立させ、内フラップに上段側の箱を載せ、外フラップで上段側の箱の横ずれを防止することにより、安定した状態で商品を展示できる。
【００１０】
また、前壁の両側部を、下端から上端に至る外前片と内前片とが重なった二重構造とすることにより、耐圧強度を向上させることができる。
【００１１】
さらに、外前片と内前片の間に、カバーの前蓋部の両側部を差し込み、天蓋部で天面を閉じることにより、輸送時に商品を確実に保護することができ、段積み時における前蓋部の座屈を防止することもできる。
【図面の簡単な説明】
【００１２】
【図１】この発明の第１実施形態に係る外装兼用展示箱のブランクを示す図
【図２】同上の組立状態でのカバー挿入過程を示す斜視図
【図３】同上のカバー装着状態を示す斜視図
【図４】同上のカバーを除去した開口状態を示す斜視図
【図５】同上の段積み状態を示す斜視図
【図６】同上の第２実施形態のブランクを示す図
【図７】同上のカバーを除去した開口状態を示す斜視図
【図８】同上の第３実施形態のブランクを示す図
【図９】同上のカバーを除去した開口状態を示す斜視図
【図１０】特許文献１に記載の外装兼用展示箱を示す斜視図
【発明を実施するための形態】
【００１３】
まず、この発明の第１実施形態を図１〜図５に基づいて説明する。
【００１４】
この外装兼用展示箱は、図１に示す段ボールのブランクから形成される。このブランクでは、長方形の底壁１の後方となる長辺に背壁２が連設され、底壁１の両側の短辺に内側板３が連設され、底壁１の前方となる長辺に高さが低い底前板４が連設されている。背壁２の両側には、外側板５が連設されている。
【００１５】
内側板３の上端となる端辺には内フラップ６が連設され、外側板５の上端となる端辺には外フラップ７が連設されている。内フラップ６の基部には、確実に折れ曲がり稜部を形成するように、３箇所にコ字状の切目が入れられている。
【００１６】
外側板５の前方となる端辺には、その全長に及ぶ短い外前片８が連設され、外前片８の先端下部には、抱持部８ａが突設されている。内側板３の前方となる端辺には、その全長に及ぶ短い内前片９が連設され、内前片９の上端となる端辺には、半円形の受舌片９ａが連設されている。
【００１７】
底前板４の先端中間部には、頂板１０及び裏前板１１が順次連設され、裏前板１１の先端には、組立時に底壁１の穴に係合する突起及び解体用の指掛凹部が形成されている。また、裏前板１１には、解体時に撓みを誘発する斜方向の罫線が入れられている。
【００１８】
背壁２の上部には、幅方向の中央部分に手入穴２ａが穿設され、手入穴２ａの上縁両端から背壁２の上端縁へかけて、鉤状の切目が断続する２本のジッパ型切目線に挟まれた切取片１２が形成されている。
【００１９】
また、この外装兼用展示箱は、カバー２０を備えており、カバー２０のブランクは、輸送時に前面の開口部を覆う前蓋部２１、天面全体を覆う天蓋部２２及び背壁２の上部内面に沿って差し込む差込部２３を順次連設した構成とされている。
【００２０】
このようなブランクを商品の輸送用に組み立てるには、図２に示すように、底壁１から背壁２及び一対の内側板３を起立させ、外側板５を前方へ折り曲げて、内側板３と外側板５とが重なった側壁１３を形成し、各一対の内前片９及び外前片８を対向するように内側へ折り曲げ、外前片８と内前片９とを重ねる。この状態において、内フラップ６と外フラップ７とは、重ね合わせることもできるが、分離して起伏させることもできる。
【００２１】
次に、底壁１から底前板４を起立させ、頂板１０及び裏前板１１を巻き込むように折り曲げ、底前板４と裏前板１１との間に抱持部８ａを挟み込んで、組立形状を維持する。これにより、底部で底前板４と裏前板１１とが重なり、両側部で外前片８と内前片９とが重なった前壁１４を形成する。
【００２２】
このように組み立てた状態で、箱内に商品を収納すると、二重構造の側壁１３及び前壁１４は比較的薄く、内周側に突出部もないので、商品の収納容積が大きく確保される。
【００２３】
その後、カバー２０を装着するには、天蓋部２２から前蓋部２１及び差込部２３を下方へ折り曲げて、前蓋部２１の両側部を外前片８と内前片９の間に差し込む。このとき、受舌片９ａがガイドとなるので、前蓋部２１を外前片８と内前片９の間に容易に差し込むことができる。
【００２４】
そして、図３に示すように、内フラップ６と外フラップ７とを、内側水平方向へ折り曲げて重ね合わせ、受舌片９ａを内側水平方向へ折り曲げ、外フラップ７に天蓋部２２を載せて、天蓋部２２により天面を閉じる。また、差込部２３を背壁２の上部内面に沿って差し込み、差込部２３と切取片１２とを貼り合わせ、或いは、天蓋部２２の後側中央部から切取片１２にかけてテープを貼り付けることにより、封緘状態とする。
【００２５】
このようにカバー２０を装着して封緘した状態で、商品を製造元から小売店へ輸送すると、箱内は完全に密閉されているので、商品を確実に保護することができる。また、二重構造となった側壁１３及び前壁１４の両側部により耐圧強度が確保されるので、トラックの荷台等における段積み時の潰れが防止され、前蓋部２１が外前片８と内前片９の間に挟まれていることから、前蓋部２１の座屈も防止される。
【００２６】
一方、店頭で商品を展示する際には、手入穴２ａに手を入れ、切取片１２を背壁２から切り取り、カバー２０を切取片１２と共に上方へ引き抜いて除去し、図４に示すように、前面から天面へかけて開口させる。
【００２７】
また、図５に示すように、段積み状態で展示する際には、下段側となる外装兼用展示箱の内フラップ６及び受舌片９ａを内側水平方向へ折り曲げ、外フラップ７を起立させ、内フラップ６及び受舌片９ａに上段側の箱を載せ、下段側の外装兼用展示箱の外フラップ７で上段側の外装兼用展示箱の横方向へのずれを防止する。
【００２８】
このような段積み状態では、側壁１３の全体及び前壁１４の両側部が二重構造となっているので、前面が大きく開口した形状であっても、耐圧強度を確保でき、安定した状態で商品を展示できる。
【００２９】
次に、この発明の第２実施形態を図６〜図７に基づいて説明する。なお、ここでは、上記第１実施形態と異なる部分に関して述べるに留める。
【００３０】
この外装兼用展示箱のブランクでは、図６に示すように、内側板３の前後方向の寸法が底壁１の前後方向の寸法よりも短く、内前片９には、内側板３との境界の罫線に平行な１本の折目線９ｂが入れられている。折目線９ｂは、通常の折目線と同様、山折り方向へ折り曲げるため、段ボールを裏面側から押圧した押罫とされている。
【００３１】
このブランクの組み立てに際しては、図７に示すように、内前片９を内側板３から斜め内側前方へ折り曲げ、折目線９ｂを軸に山折りし、内前片９の折目線９ｂより先端側の部分を外前片８の裏面に重ねる。
【００３２】
このように組み立てた外装兼用展示箱は、外側板５と外前片８がなす稜部と、内前片９の斜めに向いた部分とが三角筒状のコーナー支柱を形成するので、段積みに対する耐圧強度がさらに向上する。
【００３３】
次に、この発明の第３実施形態を図８〜図９に基づいて説明する。なお、ここにおいても、上記第１，２実施形態と異なる部分に関して述べるに留める。
【００３４】
この外装兼用展示箱のブランクでは、図８に示すように、内側板３の前後方向の寸法が底壁１の前後方向の寸法よりも上記第２実施形態のものと比較してさらに短く、内前片９には、内側板３との境界の罫線に平行な２本の折目線９ｃ、９ｄが入れられている。折目線９ｃは、通常の折目線と異なり、谷折り方向へ折り曲げるため、段ボールを表面側から押圧した逆罫とされている。折目線９ｄは、通常の折目線と同様、山折り方向へ折り曲げるため、段ボールを裏面側から押圧した押罫とされている。
【００３５】
このブランクの組み立てに際しては、図９に示すように、内前片９を内側板３から斜め内側前方へ折り曲げ、折目線９ｃを軸に谷折りして、内前片９の折目線９ｃ，９ｄの間の部分を折目線９ｃから斜め外側前方へ折り曲げ、折目線９ｄを軸に山折りして、内前片９の折目線９ｄより先端側の部分を外前片８の裏面に重ねる。
【００３６】
このように組み立てた外装兼用展示箱は、外側板５の前部と内前片９の基部から折目線９ｄまでの部分とが三角筒状の支柱を形成すると共に、外前片８の裏面のほぼ全体に内前片９が重なるので、段積みに対する耐圧強度がさらに向上する。
【００３７】
なお、上記実施形態では、底前板４から頂板１０及び裏前板１１を巻き込み、外前片８の抱持部８ａを底前板４と裏前板１１とで挟み込む額縁構造により、組立形状を維持するものを例示したが、前壁１４の底部を額縁構造とせず、底前板４と外前片８とを貼り合わせて組立形状を維持するようにしてもよい。
【００３８】
また、前壁１４の両側部において外前片８と内前片９とを重ねたものを例示したが、カバー２０を装着しない場合や、段ボール自体の強度が大きい場合等においては、内前片９を省略してもよい。
【００３９】
また、組立状態で直方体状になるものを例示したが、背壁２と側壁１３の間及び側壁１３と前壁１４の間のいずれか又は両方に面取り部を形成し、平面視で六角形や八角形等の多角形を構成するような形状としてもよい。
【符号の説明】
【００４０】
１  底壁
２  背壁
２ａ  手入穴
３  内側板
４  底前板
５  外側板
６  内フラップ
７  外フラップ
８  外前片
８ａ  抱持部
９  内前片
９ａ  受舌片
９ｂ，９ｃ，９ｄ  折目線
１０  頂板
１１  裏前板
１２  切取片
１３  側壁
１４  前壁
２０  カバー
２１  前蓋部
２２  天蓋部
２３  差込部
【図１】
0006433381.tif 000002
【図２】
0006433381.tif 000003
【図３】
0006433381.tif 000004
【図４】
0006433381.tif 000005
【図５】
0006433381.tif 000006
【図６】
0006433381.tif 000007
【図７】
0006433381.tif 000008
【図８】
0006433381.tif 000009
【図９】
0006433381.tif 000010
【図１０】
0006433381.tif 000011